(57)【要約】【課題】取り扱い性を向上させることを可能にした保護フィルム付きガラス板、その製造方法、及び梱包体を提供する。【解決手段】保護フィルム付きガラス板１１は、四辺を有するガラス板１２の主面Ｓ１に保護フィルム１３が設けられたものである。保護フィルム１３の少なくとも一部は、粘着性を有する。保護フィルム１３は、ガラス板１２の主面Ｓ１側から見た平面視においてガラス板１２の対向する二つの第１の辺１２ａ，１２ｂの一方若しくは両方と重なる形状、又は第１の辺１２ａ，１２ｂの一方若しくは両方よりも内方に位置する形状を有する第１端縁１３ａ，１３ｂを備える。保護フィルム１３は、ガラス板１２の第１の辺１２ａ，１２ｂと隣接するとともにガラス板１２の対向する二つの第２の辺１２ｃ，１２ｄよりも外方に位置する形状を有する第２端縁１３ｃ，１３ｄとを備える。【選択図】図１
2017171372.tif 000002
【特許請求の範囲】
【請求項１】
四辺を有するガラス板の主面に保護フィルムが設けられた保護フィルム付きガラス板であって、
前記保護フィルムの少なくとも一部は、粘着性を有し、
前記保護フィルムは、
前記ガラス板の主面側から見た平面視において前記ガラス板の対向する二つの第１の辺の一方若しくは両方と重なる形状、又は前記第１の辺の一方若しくは両方よりも内方に位置する形状を有する第１端縁と、
前記第１の辺と隣接するとともに前記ガラス板の対向する二つの第２の辺の一方又は両方よりも外方に位置する形状を有する第２端縁と、を備えることを特徴とする保護フィルム付きガラス板。
【請求項２】
前記保護フィルムの前記第１端縁に対応した前記ガラス板の前記第１の辺を構成する端面は、研磨面であることを特徴とする請求項１に記載の保護フィルム付きガラス板。
【請求項３】
請求項１又は請求項２に記載の保護フィルム付きガラス板の製造方法であって、
ロールフィルムから前記保護フィルムの連続体を繰り出して前記ガラス板の主面に積層させる積層工程と、
前記保護フィルムの連続体を幅方向にわたって切断する切断工程と、を備えることを特徴とする保護フィルム付きガラス板の製造方法。
【請求項４】
前記切断工程における前記切断では、前記保護フィルムの前記第１端縁を形成せずに前記第２端縁のみを形成することを特徴とする請求項３に記載の保護フィルム付きガラス板の製造方法。
【請求項５】
請求項１又は請求項２に記載の保護フィルム付きガラス板を複数載置した載置台を備え、複数の前記保護フィルム付きガラス板が梱包されていることを特徴とする梱包体。
【請求項６】
前記保護フィルムの第１端縁に対応した前記ガラス板の第１の辺が下端に位置するように傾斜した状態で前記載置台に載置され、
前記載置台は、前記第１の辺を支持する支持部を備えることを特徴とする請求項５に記載の梱包体。
【発明の詳細な説明】
【技術分野】
【０００１】
本発明は、保護フィルム付きガラス板、その製造方法、及び梱包体に関する。
【背景技術】
【０００２】
例えば、フラットパネルディスプレイガラス基板等に用いられるガラス板を保管又は運搬する際には、複数枚を重ね合わせた状態で梱包される。特許文献１には、複数のガラス板を梱包した梱包体において、ガラス板とガラス板の間に合紙、保護フィルム等を配置する構成について開示されている。
【先行技術文献】
【特許文献】
【０００３】
【特許文献１】特開２００９−２９８４７９号公報
【発明の概要】
【発明が解決しようとする課題】
【０００４】
梱包するガラス板の主面に保護フィルムを設ける場合、粘着性を有する保護フィルムを用いることでガラス板に対する保護フィルムの位置ずれを抑えることができる。こうした保護フィルムがガラス板の端縁から突出していると、その保護フィルムはガラス板の端部を覆うように湾曲し易い。このため、ガラス板の少なくとも一端面の状態からガラス板の品質を確認する場合、ガラス板の端縁から突出している保護フィルムの位置を調整してガラス板の一端面を露出させることが必要となる。このようにガラス板の品質を確認する場合、保護フィルム付きガラス板の取り扱いが煩雑となるおそれがある。一方、ガラス板の端縁よりも内側に保護フィルムを設けた場合、ガラス板の主面に対する保護フィルムの外周端部が密着することで、ガラス板から保護フィルムを取り除くことが困難となるおそれがある。
【０００５】
以上のように、粘着性を有する保護フィルムをガラス板に設けた保護フィルム付きガラス板の取り扱い性について未だ改善の余地がある。
本発明は、こうした実情に鑑みてなされたものであり、その目的は、取り扱い性を向上させることを可能にした保護フィルム付きガラス板、その製造方法、及び梱包体を提供することにある。
【課題を解決するための手段】
【０００６】
上記課題を解決する保護フィルム付きガラス板は、四辺を有するガラス板の主面に保護フィルムが設けられた保護フィルム付きガラス板であって、前記保護フィルムの少なくとも一部は、粘着性を有し、前記保護フィルムは、前記ガラス板の主面側から見た平面視において前記ガラス板の対向する二つの第１の辺の一方若しくは両方と重なる形状、又は前記第１の辺の一方若しくは両方よりも内方に位置する形状を有する第１端縁と、前記第１の辺と隣接するとともに前記ガラス板の対向する二つの第２の辺の一方又は両方よりも外方に位置する形状を有する第２端縁と、を備える。
【０００７】
この構成によれば、保護フィルムの第１端縁は、ガラス板の主面側から見た平面視においてガラス板の対向する二つの第１の辺の一方若しくは両方と重なる形状、又は第１の辺の一方若しくは両方よりも内方に位置する形状を有するため、ガラス板の第１の辺を構成する端面は常に露出している。これにより、第１の辺を構成する端面の状態の視認性が高まることで、ガラス板の品質を容易に確認することが可能となる。また、保護フィルム付きガラス板において保護フィルムが不要となった場合には、保護フィルムの粘着力に抗して保護フィルムをガラス板から取り除くことになる。このとき、保護フィルムの第２端縁は、第１の辺と隣接するガラス板の対向する二つの第２の辺の一方又は両方よりも外方に位置する形状を有するため、第２端縁を利用してガラス板から保護フィルムを容易に取り除くことが可能となる。
【０００８】
上記保護フィルム付きガラス板において、前記保護フィルムの前記第１端縁に対応した前記ガラス板の前記第１の辺を構成する端面は、研磨面であることが好ましい。
保護フィルム付きガラス板において、保護フィルムの第１端縁に対応したガラス板の第１の辺を構成する端面は、常に露出しているため、その端面は外部からの衝撃を受け易い。上記構成によれば、ガラス板の第１の辺を構成する端面が研磨面であることで、例えば、ガラス板の破損の要因となるマイクロクラックを削減することができる。これにより、保護フィルム付きガラス板の取り扱い時におけるガラス板の破損を抑えることが可能となる。
【０００９】
上記保護フィルム付きガラス板の製造方法は、ロールフィルムから前記保護フィルムの連続体を繰り出して前記ガラス板の主面に積層させる積層工程と、前記保護フィルムの連続体を幅方向にわたって切断する切断工程と、を備えることが好ましい。
【００１０】
この方法によれば、上述した保護フィルム付きガラス板を効率よく製造することが可能となる。
上記保護フィルム付きガラス板の製造方法は、前記切断工程における前記切断では、前記保護フィルムの前記第１端縁を形成せずに前記第２端縁のみを形成することが好ましい。
【００１１】
切断工程における切断により、保護フィルムの第１端縁を形成する場合、ガラス板の主面側からの平面視において保護フィルムの連続体とガラス板とが重なる部分又はガラス板の端縁に沿った部分を切断部分に設定する必要がある。この場合、保護フィルムの連続体を切断する際にガラス板に損傷を与えるおそれがある。上記方法によれば、切断工程の切断において、保護フィルムの連続体をガラス板から離間した部分で切断すればよいため、ガラス板に損傷を与え難い。
【００１２】
梱包体は、上記保護フィルム付きガラス板を複数載置した載置台を備え、複数の前記保護フィルム付きガラス板が梱包されている。
この構成によれば、例えば、複数の保護フィルム付きガラス板を効率よく運搬することができる。
【００１３】
上記梱包体において、前記保護フィルムの第１端縁に対応した前記ガラス板の第１の辺が下端に位置するように傾斜した状態で前記載置台に載置され、前記載置台は、前記第１の辺を支持する支持部を備えることが好ましい。
【００１４】
この構成によれば、保護フィルムの第１端縁に対応したガラス板の第１の辺を載置台の支持部に支持させる際に、保護フィルムが障害物となり難い。これにより、梱包体において複数の保護フィルム付きガラス板の姿勢が安定し易い。
【発明の効果】
【００１５】
本発明によれば、取り扱い性を向上させることが可能となる。
【図面の簡単な説明】
【００１６】
【図１】実施形態における保護フィルム付きガラス板を示す斜視図である。
【図２】保護フィルム付きガラス板の製造方法を模式的に示す斜視図である。
【図３】梱包体を模式的に示す側面図である。
【図４】（ａ），（ｂ）は、保護フィルム付きガラス板の変更例を示す斜視図である。
【図５】（ａ）は、保護フィルム付きガラス板の変更例を示す斜視図であり、（ｂ）は、保護フィルム付きガラス板の変更例を示す側面図である。
【図６】（ａ）及び（ｂ）は、梱包体の変更例を模式的に示す側面図である。
【発明を実施するための形態】
【００１７】
以下、保護フィルム付きガラス板、その製造方法、及び梱包体の実施形態について図面を参照して説明する。なお、図面では、説明の便宜上、構成の一部を誇張して示す場合がある。また、各部分の寸法比率についても、実際と異なる場合がある。
【００１８】
図１に示すように、保護フィルム付きガラス板１１は、四辺を有するガラス板１２の主面Ｓ１に保護フィルム１３が設けられたものである。本実施形態の保護フィルム付きガラス板１１は、ガラス板１２の一対の主面（表裏面）のうち、一方の主面Ｓ１に保護フィルム１３が設けられた一例である。
【００１９】
保護フィルム１３の一方の主面は、ガラス板１２に対して粘着性を有する粘着面Ｓ２であり、この粘着面Ｓ２がガラス板１２の主面Ｓ１に接するように配置されている。なお、保護フィルム１３の他方の主面は、非粘着性となるように構成されている。保護フィルム１３としては、樹脂を基材とする周知のものを用いることができる。
【００２０】
保護フィルム１３は、ガラス板１２の主面Ｓ１側から見た平面視においてガラス板１２の対向する二つの第１の辺１２ａ，１２ｂより内方に位置する形状を有する第１端縁１３ａ，１３ｂを備えている。また、保護フィルム１３は、上記平面視においてガラス板１２の第１の辺１２ａ，１２ｂと隣接するとともにガラス板１２の対向する二つの第２の辺１２ｃ，１２ｄよりも外方に位置する形状を有する第２端縁１３ｃ，１３ｄを有している。なお、保護フィルム１３は、ガラス板１２の各辺に沿った端縁により形成される四辺を有している。
【００２１】
本実施形態のガラス板１２は、長辺と短辺とを有する長四角板状であり、上述した第１の辺１２ａ，１２ｂが長辺を構成するとともに第２の辺１２ｃ，１２ｄが短辺を構成している。なお、第１の辺１２ａ，１２ｂが短辺を構成するとともに第２の辺１２ｃ，１２ｄが長辺を構成するように変更してもよい。また、ガラス板１２の平面形状は、長四角形状に限定されず、正方形であってもよい。また、ガラス板１２において各辺が交差する隅部は、直線状若しくは円弧状に切断する切断又は研磨加工等されていてもよい。
【００２２】
ガラス板１２の第１の辺１２ａ，１２ｂを構成する端面は、ガラス板１２の強度を高めるという観点から、研磨面であることが好ましい。研磨面は、研磨する前のガラス板１２の有する割断面を周知の砥石等の研磨用具を用いて形成することができる。
【００２３】
ガラス板１２の用途としては、例えば、ディスプレイ用途、タッチパネル用途、光電変換パネル用途、電子デバイス用途、窓ガラス用途、建材用途、及び車両用途が挙げられる。ガラス板１２の組成についても特に限定されず、例えば、無アルカリガラス、化学強化ガラス、及び後処理において化学強化される化学強化用ガラスが挙げられる。なお、ガラス板１２の後処理は、ガラス板１２の用途に応じて選択される。ガラス板１２の後処理としては、例えば、ガラス板１２の化学強化処理、ガラス板１２の割断、ガラス板１２への機能層の積層、及びガラス板１２の外面の研磨が挙げられる。
【００２４】
次に、保護フィルム付きガラス板１１の製造方法について説明する。
保護フィルム付きガラス板１１の製造方法は、積層工程と切断工程とを備えている。
図２に示すように、積層工程は、ロールフィルム１４から保護フィルム１３の連続体１５を繰り出してガラス板１２の主面Ｓ１に積層させる工程である。
【００２５】
積層工程では、繰り出された保護フィルム１３の連続体１５をガラス板１２の主面Ｓ１に押し付けるニップロール１６が用いられる。積層工程では、図示を省略した搬送機構によってガラス板１２を図２に矢印で示す搬送方向ＭＤに向けて搬送しながら保護フィルム１３の連続体１５をガラス板１２の主面Ｓ１に積層させる。なお、積層工程では、例えば、搬送せずに静止したガラス板１２に対してロールフィルム１４を移動させながら保護フィルム１３の連続体１５をガラス板１２に積層させてもよい。すなわち、ロールフィルム１４とガラス板１２とを相対移動させることで保護フィルム１３の連続体１５をガラス板１２に積層させることもできる。また、積層工程では、ガラス板１２の主面Ｓ１に沿ってニップロール１６を相対移動させることで保護フィルム１３の連続体１５をガラス板１２に積層させてもよい。
【００２６】
切断工程は、保護フィルム１３の連続体１５を幅方向Ｘにわたって切断することで保護フィルム１３を形成する工程である。切断工程では、切断刃、レーザー等の周知の切断方法を用いることができる。
【００２７】
続いて、保護フィルム１３の第１端縁１３ａ，１３ｂ及び第２端縁１３ｃ，１３ｄの形成について説明する。
保護フィルム１３の第１端縁１３ａ，１３ｂは、保護フィルム１３の連続体１５の長さ方向Ｙに沿って延在する端縁により形成される。本実施形態では、保護フィルム１３は、対向する一対の第１端縁１３ａ，１３ｂを有しており、一対の第１端縁１３ａ，１３ｂは、保護フィルム１３の連続体１５の長さ方向Ｙに沿って延在する両端縁により形成されている。こうした保護フィルム１３の連続体１５の幅方向Ｘの寸法は、ガラス板１２の幅方向Ｘの寸法よりも小さく設定される。
【００２８】
保護フィルム１３の第２端縁１３ｃ，１３ｄは、保護フィルム１３の連続体１５を切断した切断部分１７（図２に二点鎖線で示す）により形成される。詳述すると、切断工程では、ガラス板１２に積層した保護フィルム１３の連続体１５をガラス板１２よりも外方に位置する切断部分１７で切断する。
【００２９】
以上の製造方法で得られた保護フィルム付きガラス板１１は、順次搬出され、複数を重ね合わせた状態で梱包される。
次に、梱包体について説明する。
【００３０】
図３に示すように、梱包体１８は、上述した保護フィルム付きガラス板１１を複数載置した載置台１９を備えている。複数の保護フィルム付きガラス板１１は、ガラス板１２の第１の辺１２ａ，１２ｂのいずれか一方が下端に位置するように傾斜した状態で載置台１９に載置されている。本実施形態の梱包体１８は、複数の保護フィルム付きガラス板１１が縦姿勢となるように積層された状態で配置されている。
【００３１】
梱包体１８の載置台１９は、複数の保護フィルム付きガラス板１１における第１の辺１２ａ，１２ｂのいずれか一方を支持する第１支持部１９ａと、保護フィルム付きガラス板１１におけるいずれか一方の主面側を支持する第２支持部１９ｂとを備えている。第１支持部１９ａ及び第２支持部１９ｂにおいて、複数の保護フィルム付きガラス板１１を支持する支持面は、緩衝機能を有するように構成してもよい。なお、図３では、載置台１９の第１支持部１９ａに第１の辺１２ａ，１２ｂのいずれか一方が接触しているが、例えば、保護フィルム付きガラス板１１と、これに隣り合う保護フィルム付きガラス板１１との間に合紙を配置し、その合紙が第１支持部１９ａに接触するように構成してもよい。
【００３２】
図示を省略するが、梱包体１８は、複数の保護フィルム付きガラス板１１を結束する結束ベルト等の周知の梱包資材を設けてもよい。これにより、複数の保護フィルム付きガラス板１１の揺動を抑えて梱包体１８を運搬することができる。
【００３３】
次に、保護フィルム付きガラス板１１の主な作用について説明する。
保護フィルム付きガラス板１１における保護フィルム１３の第１端縁１３ａ，１３ｂは、ガラス板１２の第１の辺１２ａ，１２ｂよりも内方に位置する形状を有しているため、ガラス板１２の第１の辺１２ａ，１２ｂに位置する端面は常に露出している。これにより、第１の辺１２ａ，１２ｂに位置する端面の状態の視認性が高まることで、ガラス板１２の品質を容易に確認することが可能となる。なお、ガラス板１２の品質の確認は、保護フィルム付きガラス板１１を梱包する前に行ってもよいし、梱包体１８を解体し、例えば後処理を行う前に行ってもよい。
【００３４】
また、保護フィルム付きガラス板１１において保護フィルム１３が不要となった場合には、保護フィルム１３の粘着力に抗して保護フィルム１３をガラス板１２から取り除くことになる。このとき、保護フィルム１３は、ガラス板１２の第２の辺１２ｃ，１２ｄよりも外方に位置する第２端縁１３ｃ，１３ｄを有しているため、第２端縁１３ｃ，１３ｄを利用してガラス板１２から保護フィルム１３を容易に取り除くことが可能となる。
【００３５】
以上詳述した実施形態によれば、次のような作用効果が発揮される。
（１）保護フィルム付きガラス板１１は、四辺を有するガラス板１２の主面Ｓ１に保護フィルム１３が設けられたものである。保護フィルム１３の一方の主面は、粘着性を有している。保護フィルム１３は、ガラス板１２の主面Ｓ１側から見た平面視においてガラス板１２の対向する二つの第１の辺１２ａ，１２ｂより内方に位置する形状を有する第１端縁１３ａ，１３ｂを備えている。保護フィルム１３は、上記平面視においてガラス板１２の第１の辺１２ａ，１２ｂと隣接するとともにガラス板１２の対向する二つの第２の辺１２ｃ，１２ｄよりも外方に位置する形状を有する第２端縁１３ｃ，１３ｄを有している。
【００３６】
この構成によれば、上述した作用が得られるため、保護フィルム付きガラス板１１の取り扱い性を向上することができる。
また、保護フィルム付きガラス板１１を後処理する際には、ガラス板１２の第１の辺１２ａ，１２ｂを構成する端面を利用して保護フィルム付きガラス板１１を精度良く位置決めすることもできる。
【００３７】
（２）保護フィルム付きガラス板１１の保護フィルム１３は、ガラス板１２の対向する二つの第１の辺１２ａ，１２ｂの両方よりも内方に位置する形状を有する第１端縁１３ａ，１３ｂを有している。この場合、ガラス板１２を主面Ｓ１側から見た平面視で対向する一対の端面のうち、いずれの端面の状態も確認することができる。このため、例えば、ガラス板１２の品質管理の精度や効率を高めることが可能となる。また、保護フィルム付きガラス板１１は、保護フィルム１３の一方の第１端縁１３ａのみを、ガラス板１２の第１の辺１２ａよるも内方に位置させることも可能であるが、本実施形態では、保護フィルム１３の面積をより小さくすることができ、保護フィルム１３の使用量を削減することが可能となる。従って、保護フィルム付きガラス板１１のコストを削減することが可能となる。
【００３８】
（３）保護フィルム付きガラス板１１において、ガラス板１２の第１の辺１２ａ，１２ｂを構成する端面は、常に露出しているため、その端面は外部からの衝撃を受け易い。ガラス板１２の第１の辺１２ａ，１２ｂを構成する端面が研磨面であることで、例えば、ガラス板１２の破損の要因となるマイクロクラックを削減することができる。これにより、保護フィルム付きガラス板１１の取り扱い時におけるガラス板１２の破損を抑えることが可能となる。
【００３９】
（４）保護フィルム付きガラス板１１の製造方法は、積層工程と切断工程とを備えている。積層工程では、ロールフィルム１４から保護フィルム１３の連続体１５を繰り出してガラス板１２の主面Ｓ１に積層させている。切断工程では、保護フィルム１３の連続体１５を幅方向Ｘにわたって切断する。この方法によれば、上述した保護フィルム付きガラス板１１を効率よく製造することが可能となる。
【００４０】
（５）本実施形態の積層工程における切断では、保護フィルム１３の第１端縁１３ａ，１３ｂを形成せずに第２端縁１３ｃ，１３ｄのみを形成している。この方法によれば、切断工程の切断において、保護フィルム１３の連続体１５をガラス板１２から離間した部分で切断すればよいため、ガラス板１２に損傷を与え難い。従って、例えば、保護フィルム付きガラス板１１の製造における歩留まりを向上させることが可能となる。
【００４１】
（６）梱包体１８は、保護フィルム付きガラス板１１を複数載置した載置台１９を備え、複数の保護フィルム付きガラス板１１が梱包されている。この構成によれば、例えば、複数の保護フィルム付きガラス板１１を効率よく運搬することができる。
【００４２】
（７）梱包体１８において、複数の保護フィルム付きガラス板１１の第１の辺１２ａ，１２ｂのいずれか一方が下端に位置するように傾斜した状態で載置台１９に載置されている。載置台１９は、ガラス板１２の第１の辺１２ａ，１２ｂのいずれか一方を支持する第１支持部１９ａを備えている。この場合、複数の保護フィルム付きガラス板１１の保護フィルム１３は、上述した第１端縁１３ａ，１３ｂを有し、ガラス板１２は上述した第１の辺１２ａ，１２ｂを有しているため、第１の辺１２ａ，１２ｂのいずれか一方を載置台１９の第１支持部１９ａに支持させる際に、保護フィルム１３が障害物となり難い。これにより、梱包体１８において複数の保護フィルム付きガラス板１１の姿勢が安定し易い。
【００４３】
（８）本実施形態の梱包体１８では、保護フィルム付きガラス板１１の上端に第１の辺１２ａ，１２ｂのいずれか一方が位置している。このため、梱包体１８の状態であっても上方からガラス板１２の品質を確認することが可能である。
【００４４】
（変更例）
上記実施形態を次のように変更して構成してもよい。以下の変更例は、必要に応じて組み合わせることもできる。
【００４５】
・図４（ａ）に示すように、上記保護フィルム付きガラス板１１において、保護フィルム１３の第２端縁１３ｃ，１３ｄのいずれか一方をガラス板１２の第２の辺１２ｃ，１２ｄよりも内方に位置するように変更してもよい。
【００４６】
・図４（ｂ）に示すように、上記保護フィルム付きガラス板１１において、保護フィルム１３の第１端縁１３ａ，１３ｂのいずれか一方をガラス板１２の第１の辺１２ａ，１２ｂよりも外方に位置するように変更してもよい。
【００４７】
・図５（ａ）に示すように、保護フィルム１３の第１端縁１３ａ，１３ｂのいずれか一方をガラス板１２の第１の辺１２ａ，１２ｂよりも外方に位置させるとともに、第２端縁１３ｃ，１３ｄのいずれか一方をガラス板１２の第２の辺１２ｃ，１２ｄよりも外方に位置させてもよい。
【００４８】
・図５（ｂ）に示すように、保護フィルム付きガラス板１１において、ガラス板１２の一対の主面（両面）に保護フィルム１３を設けてもよい。この場合、保護フィルム１３は、保護フィルム１３同士が粘着する粘着性を有していれば、ガラス板１２に対しては非粘着性であってもよい。詳述すると、ガラス板１２の両面のそれぞれに重ね合わせた一対の保護フィルム１３において、ガラス板１２における第２の辺１２ｃ，１２ｄよりも外方に位置する第２端縁１３ｃ，１３ｄを含む部分の粘着面Ｓ２，Ｓ２同士を粘着させることでガラス板１２に一対の保護フィルム１３を設けることもできる。こうした保護フィルム付きガラス板１１から保護フィルム１３を取り除く場合、例えば、一対の保護フィルム１３における第２端縁１３ｃ，１３ｄから切れ込みを入れて一対の保護フィルム１３を引き裂くことでガラス板１２から一対の保護フィルム１３を容易に取り除くことが可能となる。
【００４９】
・上記保護フィルム付きガラス板１１における第１端縁１３ａ，１３ｂのいずれか一方は、ガラス板１２の第１の辺１２ａ，１２ｂと重なる形状に変更してもよい。このように変更した場合であっても、第１の辺１２ａ，１２ｂのいずれか一方を構成する端面の状態からガラス板１２の品質を容易に確認することが可能となる。
【００５０】
・保護フィルム付きガラス板１１の製造方法は、上述した積層工程及び切断工程を備える製造方法に限定されず、例えば、予め所定の形状に裁断した保護フィルム１３をガラス板１２に設けることで保護フィルム付きガラス板１１を製造することもできる。
【００５１】
・図６（ａ）に示すように、梱包体１８における複数の保護フィルム付きガラス板１１は、傾斜した平置きの姿勢で梱包されてもよい。この場合であっても、上記（７）欄で述べた作用効果が得られる。
【００５２】
・図６（ｂ）に示すように、梱包体１８における複数の保護フィルム付きガラス板１１は、傾斜させずに平置きの姿勢で梱包されてもよい。この変更例の載置台１９は、複数の保護フィルム付きガラス板１１の移動を規制する移動規制部１９ｃを備えている。載置台１９が複数の保護フィルム付きガラス板１１のガラス板１２における一対の第１の辺１２ａ，１２ｂ側から挟み込む一対の移動規制部１９ｃを備えている。こうした移動規制部１９ｃによれば、保護フィルム１３が障害物となり難く、載置台１９に複数の保護フィルム付きガラス板１１が安定して保持され易い。
【符号の説明】
【００５３】
１１…保護フィルム付きガラス板、１２…ガラス板、Ｓ１…主面、１２ａ，１２ｂ…第１の辺、１２ｃ，１２ｄ…第２の辺、１３…保護フィルム、１３ａ，１３ｂ…第１端縁、１３ｃ，１３ｄ…第２端縁、１４…ロールフィルム、１５…連続体、１８…梱包体、１９…載置台、１９ａ…第１支持部、Ｘ…幅方向。
【図１】
2017171372.tif 000003
【図２】
2017171372.tif 000004
【図３】
2017171372.tif 000005
【図４】
2017171372.tif 000006
【図５】
2017171372.tif 000007
【図６】
2017171372.tif 000008